(57)【要約】      （修正有）【課題】作成が容易で作成時間を短縮可能な、紐又は糸を編んだ装飾部を有する装飾品を提供する。【解決手段】可撓性を有する合成樹脂製の管状部材４と管状部材４を囲繞する装飾部５とを備え、装飾部５が紐又は糸を編むことにより構成された装飾体３と、芯材２とからなり、管状部材４内に芯材２が挿入されている。芯材が、略Ｃ字形の両端が周方向に延長されて重なり合うことにより形成される環状、略Ｃ字形状、若しくは、螺旋状に形成されて、弾性を有していること、また芯材が、形状記憶合金で形成されていることが好ましい。【選択図】図２
0003187872.tif 000002
【実用新案登録請求の範囲】
【請求項１】
可撓性を有する合成樹脂製の管状部材と前記管状部材を囲繞する装飾部とを備えて前記装飾部が紐又は糸を編むことにより構成された装飾体と、
芯材と、を備え、
前記管状部材内に前記芯材が挿入されていることを特徴とする装飾品。
【請求項２】
前記芯材が、略Ｃ字形の両端が周方向に延長されて重なり合うことにより形成される環状、略Ｃ字形状、若しくは、螺旋状に形成されて、弾性を有していることを特徴とする請求項１記載の装飾品。
【請求項３】
前記芯材が、形状記憶合金で形成されていることを特徴とする請求項２記載の装飾品。
【請求項４】
可撓性を有する合成樹脂製の管状部材と前記管状部材を囲繞する装飾部とを備えて前記装飾部が紐又は糸を編むことにより構成された装飾体と、
芯材と、
を備えることを特徴とする装飾品用キット。
【請求項５】
前記芯材が、略Ｃ字形の両端が周方向に延長されて重なり合うことにより形成される環状、略Ｃ字形状、若しくは、螺旋状に形成されて、弾性を有していることを特徴とする請求項４記載の装飾品用キット。
【請求項６】
前記芯材が、形状記憶合金で形成されていることを特徴とする請求項５記載の装飾品用キット。
【考案の詳細な説明】
【技術分野】
【０００１】
本考案は、紐又は糸を編んだ装飾部を有するブレスレット、アンクレット、ネックレス等の装飾品及び装飾品用キットに関する。
【背景技術】
【０００２】
昨今、例えばマクラメ編みと称される編み方などで紐又は糸を編むことにより、ブレスレット、アンクレット、ネックレス等の装飾品が、製作されている。なお、紐又は糸を編んだ装飾部を有する装飾品として、下記特許文献１には、細い紐を平織りに編んで形成した筒状網体と、その筒状網体の内側に入れた芯体とで構成した装飾部材が記載されている。
【先行技術文献】
【特許文献】
【０００３】
【特許文献１】特開２００６−３４３６１公報
【考案の概要】
【考案が解決しようとする課題】
【０００４】
しかし、従来の紐又は糸を編んだ装飾部を有する装飾品を、顧客の注文に応じて製作する場合、顧客の注文を受けてから１つ１つ編むため、製作に長時間を要し、注文から製品の納入までに時間がかかってしまうという問題があった。特に、環状を維持可能な装飾品を製作するため、環状の芯材の周りに編み付ける場合、芯材が曲がっているために編み難く、製作が困難であるという問題があった。上記特許文献１記載の装飾部材は、装飾部が平織りで伸縮性が大きい筒状網体とされているため、これに芯体を入れることは比較的容易であるものの、装飾部が例えばマクラメ編み等で固く編まれた伸縮性の小さいものである場合、芯体を入れることは困難であり、やはり、製作が困難であるという問題があった。
【０００５】
この考案は、上述した問題を解決するものであり、製作が容易で製作時間を短縮可能な、紐又は糸を編んだ装飾部を有する装飾品、及び、紐又は糸を編んだ装飾品を短時間で容易に製作可能な装飾品用キットを提供することを目的とする。
【課題を解決するための手段】
【０００６】
本考案の装飾品は、可撓性を有する合成樹脂製の管状部材と前記管状部材を囲繞する装飾部とを備えて前記装飾部が紐又は糸を編むことにより構成された装飾体と、芯材と、を備え、前記管状部材内に前記芯材が挿入されていることを特徴とする。
【０００７】
これによれば、管状部材は可撓性を有するため、直線状に伸ばすことは容易であり、直線状の管状部材の周囲に紐又は糸を編み付けることにより装飾体を製作することも容易である。そして、可撓性を有する管状部材内に芯材を挿入することも容易である。したがって、紐又は糸を編むことにより構成された装飾部を有する装飾品を容易に製作でき、製作時間を短縮可能である。
【０００８】
ここで、前記芯材が、略Ｃ字形の両端が周方向に延長されて重なり合うことにより形成される環状、略Ｃ字形状、若しくは、螺旋状に形成されて、弾性を有していることとすれば、装飾品の両端部を連結する連結具や留め具なしで身体に装着可能であるので、連結具や留め具を装飾品に取り付ける必要がなく、さらに装飾品の製作が容易となり、製作時間を短縮可能である。
【０００９】
また、前記芯材が、形状記憶合金で形成されていることとすれば、装飾品の形状が変形する虞を低減できる。
【００１０】
本考案の装飾品用キットは、可撓性を有する合成樹脂製の管状部材と前記管状部材を囲繞する装飾部とを備えて前記装飾部が紐又は糸を編むことにより構成された装飾体と、芯材と、を備えることを特徴とする。
【００１１】
これによれば、管状部材は可撓性を有するため、直線状に伸ばすことは容易であり、直線状の管状部材の周囲に紐又は糸を編み付けることにより装飾体を製作することも容易である。そして、可撓性を有する管状部材内に芯材を挿入することも容易である。したがって、紐又は糸を編むことにより構成された装飾部を有する装飾品を容易に製作でき、製作時間を短縮可能である。
【００１２】
本考案の装飾品用キットにおいて、前記芯材が、略Ｃ字形の両端が周方向に延長されて重なり合うことにより形成される環状、略Ｃ字形状、若しくは、螺旋状に形成されて、弾性を有していることとすれば、装飾品の両端部を連結する連結具や留め具なしで身体に装着可能であるので、連結具や留め具を装飾品に取り付ける必要がなく、さらに装飾品の製作が容易となり、製作時間を短縮可能である。
【００１３】
また、本考案の装飾品用キットにおいて、前記芯材が、形状記憶合金で形成されていることとすれば、装飾品の形状が変形する虞を低減できる。
【考案の効果】
【００１４】
本考案によれば、紐又は糸を編んだ装飾部を有する装飾品の製作が容易となり、製作時間を短縮可能である。
【図面の簡単な説明】
【００１５】
【図１】本考案の一実施形態に係る装飾品の斜視図である。
【図２】同実施形態に係る装飾品用キットの、（ａ）は芯材の平面図、（ｂ）は装飾体の平面図である。
【図３】同実施形態に係る装飾品の製作途中の平面図である。
【図４】同実施形態に係る装飾品の製作途中の平面図であり、図３の続きである。
【図５】同実施形態に係る装飾品の製作途中の平面図であり、図４の続きである。
【図６】同実施形態に係る装飾品の端部の拡大断面図である。
【考案を実施するための形態】
【００１６】
以下、本考案の一実施形態を図面に基づいて説明する。
【００１７】
図１に示すように、本実施形態の装飾品１は、アンクレットとして構成されたものであり、Ｃ字形状の両端が周方向に延長されて重なり合うことにより形成される環状をなし、両端部１１，１１から周方向に沿って、それぞれ装飾部５が延設されている。また、装飾品１は、周方向の中央部に装飾玉６が配置され、装飾玉６と各装飾部５との間には複数のビーズ７が並設されている。
【００１８】
装飾部５は、細い紐又は糸を編むことにより構成されており、具体的には、ワックスコードと称されるロウ引きの細い紐をマクラメ編みで編んだもので構成されている。
【００１９】
装飾品１は、図２（ａ）に示す芯材２を備え、芯材２は、形状記憶合金製の線材を、略Ｃ字形の両端が周方向に延長されて重なり合った環状をなすように、曲げて形成されている。すなわち、芯材２は、自由端とされた両端部２１を有している。形状記憶合金は、変態点以上の温度では変形されてもすぐに元の形状を回復する性質を持つ合金であり、元の形状を復元可能な変形範囲が、通常の鋼製ばね等に比して広い。形状記憶合金としては、ニッケル・チタン合金あるいはニッケル・チタン・コバルト合金等、ニッケル及びチタンを含む合金が一般的であるが、本実施形態では、変態点が常温以下のいわゆる超弾性形状記憶合金であればよい。したがって、芯材２は、常温において復元可能な範囲内の変形であれば、変形されても上記した環状をすぐに回復する。
【００２０】
図２（ｂ）に示す装飾体３は、図１に示す装飾体３と同じものであるが、図１に示す装飾体３は、図２（ｂ）に示す装飾体３において管状部材４の露出部４１，４１を切り落とした状態である。図２（ｂ）に示す装飾体３は、可撓性を有する合成樹脂製の管状部材４を、装飾部５で囲繞したものである。具体的には、管状部材４は、例えば塩化ビニール等、軟質の合成樹脂製で、断面が円形の細いチューブからなり、本実施形態では、断面の直径（内径）が約１．０〜１．５ｍｍのものを用いている。そして、管状部材４を直線状に伸ばした状態で、作業板上に浮かせて保持し、管状部材４の端部よりも中央寄りの部位からワックスコードを編み付けていくことにより、装飾部５を筒状に形成して、管状部材４の両端部を除いた部分を装飾部５により被覆している。すなわち、管状部材４の両端部には、装飾部５で被覆されていない露出部４１，４１が形成されている。なお、ワックスコードを編み付けていく際に、所々接着剤を管状部材４の周壁部４２（図６参照）に塗布することにより、装飾部５と管状部材４とが接着され、装飾部５が管状部材４に編み付けられた位置からずれないようにされている。
【００２１】
なお、ワックスコードの編み終わり部分は、例えば熱してロウを溶かす、あるいは、ビーズを通してそのビーズをワックスコードに接着する等の方法により、ほどけないように処理される。
【００２２】
装飾品１は、芯材２及び２つの装飾体３からなる装飾品用キットと、装飾玉６と、複数のビーズ７とから構成される。なお、装飾用キットに含まれる装飾体３は、図２（ｂ）に示すように露出部４１，４１が存在する状態である。以下、装飾品１の製作方法について説明する。
【００２３】
まず、芯材２の装飾部５が配置される部分に接着剤を塗布する。なお、このとき、図示はしないが、芯材２と管状部材４との間の隙間が大きい場合には、極細い線材（例えば、ステンレス製の針金）を芯材２に螺旋状に巻き付けてから、接着剤を塗布することにより、芯材２と管状部材４との間の隙間をできるだけ小さくし、芯材２と管状部材４との間が接着層８（図６参照）で埋められるようにする。
【００２４】
次に、図３に示すように、装飾体３において、管状部材４の一方の露出部４１を切り落とし、装飾体３の露出部４１を切り落とした側の端部３１から、管状部材４内に芯材２を挿通し、芯材２の端部２１を、切り落としていない方の露出部４１から突出させる。なお、図３〜５は、見易いように、芯材２の重なった部分を離間させた状態で示している。そして、図４に示すように、管状部材４の他方の露出部４１を芯材２ごと切り落とす。上述したように、芯材２には接着剤が塗布されていることから、装飾体３は芯材２に対してずれないように接着される。
【００２５】
次に、図５に示すように、芯材２の装飾体３が配置されていない方の端部２１から、ビーズ７及び装飾玉６を挿通した後、先に配置した装飾体３と同様に、もう１つの装飾体３において、一方の露出部４１を切り落とし、その装飾体３に、露出部４１を切り落とした側から芯材２を挿通して、切り落としてない方の露出部４１まで芯材２を挿通したら、その露出部４１を芯材２ごと切り落とす。
【００２６】
最後に、図６に示すように、装飾部５の端部５１に、金属製あるいは合成樹脂製のキャップ９を取り付ける。具体的には、キャップ９は、管状部材４よりも径の大きい頭部９２と、頭部９２から延設された２つの板状の差込部９１とを有しており、管状部材４と芯材２との間に各差込部９１を差し込んで、キャップ９を装飾部５に接着する。これにより、端部５１から装飾部５内の管状部材４が視認できないようになり、装飾品１が完成する。
【００２７】
以上説明したように、管状部材４は可撓性を有するため、直線状に伸ばすことは容易であり、直線状に伸ばした管状部材４の周囲に紐又は糸を編み付けることも容易であるので、装飾体３の製作が容易である。そして、管状部材４は可撓性を有するため、管状部材４内に芯材２を挿入することも容易である。したがって、装飾品１は製作が容易であり、製作時間を短縮可能である。
【００２８】
そして、装飾体３を複数用意しておいて、装用者に好みの装飾体３を選ばせることとすれば、注文時に装用者が抱いていた装飾品１のイメージと、実際に出来上がった装飾品１とが異なってしまう虞が小さく、装用者の好みに合った装飾品１を製作することが容易となる。また、上述したように装飾品１の製作時間を短縮可能であるため、注文から納品までの時間も短縮可能である。
【００２９】
また、芯材２が、略Ｃ字形の両端が周方向に延長されて（互いに行き違うように）重なり合うことにより形成される環状をなしているので、装飾品１も同様の環状となる。そして、芯材２は弾性を有しているので、装用者は、装飾品１の両端部１１，１１を離間させて、足首に装飾品１を巻いて、両端部１１，１１の離間を止めれば、装飾品１は元の環状に戻るため、装飾品１は足首に巻かれた状態を維持することとなる。すなわち、装飾品１は、両端部１１，１１を連結する連結具なしで装着可能であるので、連結具を装飾品１に取り付ける必要がない。このため、装飾品１の製作はさらに容易である。
【００３０】
そして、装飾品１は、芯材２が形状記憶合金製であることから、変形しても復元可能な範囲が広く、形状が変形してしまう虞を低減できる。
【００３１】
なお、芯材２を、重なり合った部分がない略Ｃ字形状としてもよい。略Ｃ字形状には、環状を１箇所で切断した形状（すなわち、両端間にほとんど隙間がないＣ字形状）や、多角形の一部を切り欠いた形状も含むものとする。また、環状とは、円環状に限らず、多角形の環状も含むものとする。また、芯材２を、螺旋状、すなわち、略Ｃ字形の両端が、周方向に延長されているが、重なり合わずに離間している形状としてもよい。
【００３２】
但し、芯材２の形状は、環状、略Ｃ字形状や螺旋状に限られない。例えば、上記実施形態では留め具を用いないこととしたが、留め具を用いるものとすれば、芯材２の形状を直線状として、一方の端部に留め具を取り付けて、例えばブローチとして用いることも可能である。
【００３３】
また、芯材２を、形状記憶合金ではない金属製としてもよい。また、合成樹脂製としてもよい。また、芯材２をテグスのような合成繊維製としてもよい。すなわち、芯材２は、必ずしも管状部材４より剛性が高いことを要しない。
【００３４】
また、例えば芯材２の全長と略同じ長さの装飾部５を有する装飾体３を用いるなど、装飾品１に用いる装飾体３を１つとしてもよい。すなわち、装飾品用キットとしては、少なくとも、１つの芯材２と、１つの装飾体３とを備えていればよい。逆に、１つの装飾品１に、３つ以上の装飾体３を用いてもよい。
【００３５】
また、装飾部５を形成するときの編み方は、マクラメ編みに限らず、他の編み方でもよい。
【００３６】
また、本実施形態では、完成時に管状部材４が装飾部５により被覆されているように、ワックスコードを密に編んで装飾部５を構成したが、少なくとも装飾部５で管状部材４を囲繞すればよい。すなわち、完成時に管状部材４の一部が装飾部５に被覆されていなくてもよい。但し、そのような管状部材４の露出部には、他の装飾部材を取り付けることが、見た目の良さのためには、好ましい。
【００３７】
本実施形態において、キャップ９を取り付けたのも、見た目の良さのためであり、キャップ９の有無は任意である。装飾玉６やビーズ７等、他の装飾部材の有無やその種類も任意である。
【００３８】
さらに、本実施形態では装飾品１をアンクレットとしたが、ブレスレット、ネックレス、指輪、ベルト等、他の種類の装飾品でもよく、ペットの首輪等でもよい。すなわち、人が用いる装飾品に限られない。
【符号の説明】
【００３９】
１…装飾品
２…芯材
３…装飾体
４…管状部材
５…装飾部
【図１】
0003187872.tif 000003
【図２】
0003187872.tif 000004
【図３】
0003187872.tif 000005
【図４】
0003187872.tif 000006
【図５】
0003187872.tif 000007
【図６】
0003187872.tif 000008